(57)【特許請求の範囲】
【請求項１】
１対の縦枠、上枠及び下枠によって矩形状に形成される外枠に設けられた凹溝内に、ガラス製の面板が嵌め込まれるドア構造であって、
前後に２分された中框が、予め前記面板の表裏で、面板を挟み込むように、脱着可能に貼り付けられ、ユニット化されたうえ、前記中框は面板と共に外枠に嵌め込まれて固定されるように構成し、
その上、前記縦枠、上枠、下枠及び中框の互いに接する面同士は通常の接着剤によって強固に接着され、かつ前記上枠には、垂直方向に、面板が貫通可能なスリットが形成されていることを特徴とするドア構造。
【請求項２】
前記面板が、その一辺に嵌着された緩衝部材と共に、外枠の凹溝に嵌め込まれ、緩衝部材が凹溝の内面に弾接することによって凹溝と面板との隙間が埋められると共に、前記緩衝部材は、弾性変形容易な軟質のゴム又はプラスチック製で、かつ断面略Ｃ字状のチューブ材であり、しかも前記面板の一辺を受け入れる開口は、面板の厚さより幅が狭くかつ面板の一辺の受け入れ時に弾性で拡開し、面板の一辺を受け入れると面板の表裏を挟み包むように構成されているとともに、前記緩衝部材は面板と共に容易に取り外し可能に構成されていることを特徴とする請求項１に記載のドア構造。
【請求項３】
前記面板が、その一辺に嵌着された緩衝部材と共に、外枠の凹溝に嵌め込まれ、緩衝部材が凹溝の内面に弾接することによって凹溝と面板との隙間が埋められると共に、前記緩衝部材は、弾性変形容易な軟質のゴム又はプラスチック製で、かつ奥の幅より開口の幅が小さい断面略コ字状であり、しかも前記面板の一辺を受け入れる開口は、面板の厚さより幅が狭くかつ面板の一辺の受け入れ時に弾性で拡開し、面板の一辺を受け入れると面板の表裏を挟み包むように構成されているとともに、前記緩衝部材は面板と共に容易に取り外し可能に構成されていることを特徴とする請求項１に記載のドア構造。
【発明の詳細な説明】
【０００１】
【発明の属する技術分野】
本発明は、一般住宅やその他の建築に於いて使用されるドア構造に関する。
【０００２】
【従来の技術】
一般住宅やその他の建築に一般的に使用されるドア構造のうち、１対の縦枠、上枠及び下枠によって形成される外枠内に、例えばガラス製の面板が嵌め込まれるものには、次に示すいくつかの従来例が存在する。
【０００３】
その一つは、図７（ａ），（ｂ）に示すように、框組によって形成された外枠（ここでは縦框２１１，２１１及び下框２１３が示されている）及びその開口部分を２分する、補強及び装飾用の中框２１５に対して、その前後方向の一方の側から面板２０，２０及びその周囲を抑え、固定する、補強及び装飾用の複数の面縁３１，３５が嵌め込まれ、その複数の面縁３１，３５が外枠及び中央框２１５へ複数の木ネジＤで固定されることによって、面板２０，２０も固定されるよう構成されている。
従って、1つの面板２０が破損・汚損した場合、それを固定する木ネジＤの取り外しのみによって容易に交換可能である。
【０００４】
しかしながら、図に示すように、面板２０が、補強や装飾用の中框２１５によって面板２０，２０が分断されており、その数が増せば増す程、面板２０及び面縁３１，３５の取り付けが煩瑣になる。そのうえ、木ネジＤの頭部の露出したり、面縁３０がずれたりすることによって外観が損なわれたり、また、面板２０と外枠、中框２１５との間に隙間が生じることによって面板２０にがたつきを生じたりするという問題点がある。
【０００５】
次は、上記従来例の構成に加えて、図８に示すように、外枠、中框２１５、面縁３１，３５との隙間にコーキングＣが施されたものであって、面板２０の固定の強度が増し、がたつきが解消されるという点では効果はあるが、一旦形成されたコーキングＣの除去が困難なため、面板２０の交換が困難である。その上、コーキングＣに伴う種々の問題点、例えば施工時の有機溶剤の蒸発に伴う作業者への健康障害、かなりの養生時間の必要性、その露出による外観の汚損や周囲の汚染等がある。
【０００６】
３番目は、図９に示すように、外枠３１０に１枚の大型面板２５が嵌め込まれ、それに装飾用の格子状の中框３１５が後付けされたものであって、面板２５の取り付けが簡単であって、ユニット化されているため、ずれによる段差を生じ難いという長所はあるが、格子状の中框３１５が面板２５の補強・固定に殆んど寄与しておらず、そのため、がたつきを生じ易いという問題点がある。
【０００７】
４番目は、図１０（ａ），（ｂ）に示すように、予め面板２０と，それが嵌め込まれる面縁３６，３６と，がユニット化されていて、そのユニットＵが外枠４１０、中框４１５の間に形成される開口部分に嵌め込まれ、接着剤又は木ネジＤで固定されるものであって、面板２０を含むユニットＵの取り付けが容易であって、面板２０も、面縁３６を介して外枠４１０，中框４１５に強固に固定されるという長所はあるが、外枠４１０，中框４１５及び面縁３６と面板２０との間に隙間があると、面板２０にがたつきを生じ、面縁３６の外枠４１０等への固定が接着剤でなされると、面板２０の交換が困難であり、木ネジＤでなされると、その頭部が露出し、外観が損なわれるという問題点がある。
【０００８】
５番目は、図１１（ａ），（ｂ）に示すように、上框５１２の側から外枠５１０内に面板２０を挿入可能に、外枠５１０にスリットＳが形成されると共に、中框５１５が面板２０を挟むよう前後方向に２分されたものであって、予め框組された外枠５１０、中枠５１５への面板２０の脱着（交換）が比較的容易であるという長所はあるが、面板２０に対して中框５１５が一体的に固定してあり分離できないため、面板２０だけを交換することはできない。特に、使用中の急激な温度変化で面板２０が破損したり、ドアが反るようなことがあっても、面板２０だけでなく中枠５１５もいっしょに交換する必要があるため、コスト高になるという問題がある。
【０００９】
【発明が解決しようとする課題】
そこで本発明の目的とするところは、上記従来例の欠点を解消した、面板の取り付け・交換が容易で、そのがたつきも少なく、しかも外観に優れたドア構造を提供することにある。
【００１０】
【課題を解決するための手段】
上記の目的を達するために、請求項１の発明のドア構造は、１対の縦枠（１１，１１）、上枠（１２）及び下枠（１３）によって矩形状に形成される外枠（１０）に設けられた凹溝（Ｍ）内に、ガラス製の面板（２５）が嵌め込まれるものであって、前後に２分された中框（１５，１５）が、予め面板（２５）の表裏で、面板（２５）を挟み込むように、脱着可能に貼り付けられ、ユニット化されたうえ、中框（１５，１５）は面板（２５）と共に外枠（１０）に嵌め込まれて固定されるように構成し、その上、前記縦枠（１１，１１）、上枠（１２）、下枠（１３）及び中框（１５，１５）の互いに接する面同士は通常の接着剤によって強固に接着され、かつ上枠（１２）には、垂直方向に、面板（２５）が貫通可能なスリット（Ｓ）が形成されていることを特徴とする。
【００１２】
請求項２の発明のドア構造は、請求項１の発明の構成に加えて、前記面板（２５）が、その一辺に嵌着された緩衝部材（５０）と共に、外枠（１０）の凹溝（Ｍ）に嵌め込まれ、緩衝部材（５０）が凹溝（Ｍ）の内面に弾接することによって凹溝（Ｍ）と面板（２５）との隙間が埋められると共に、前記緩衝部材（５０）は、弾性変形容易な軟質のゴム又はプラスチック製で、かつ断面略Ｃ字状のチューブ材であり、しかも前記面板（２５）の一辺を受け入れる開口（５１）は、面板（２５）の厚さより幅が狭くかつ面板（２５）の一辺の受け入れ時に弾性で拡開し、面板（２５）の一辺を受け入れると面板（２５）の表裏を挟み包むように構成されているとともに、前記緩衝部材（５０）は面板（２５）と共に容易に取り外し可能に構成されていることを特徴とする。
【００１３】
請求項３の発明のドア構造は、請求項１の発明の構成に加えて、前記面板（２５）が、その一辺に嵌着された緩衝部材と共に、外枠（１０）の凹溝（Ｍ）に嵌め込まれ、緩衝部材が凹溝（Ｍ）の内面に弾接することによって凹溝（Ｍ）と面板（２５）との隙間が埋められると共に、前記緩衝部材は、弾性変形容易な軟質のゴム又はプラスチック製で、かつ奥の幅より開口の幅が小さい断面略コ字状であり、しかも前記面板（２５）の一辺を受け入れる開口は、面板（２５）の厚さより幅が狭くかつ面板（２５）の一辺の受け入れ時に弾性で拡開し、面板（２５）の一辺を受け入れると面板（２５）の表裏を挟み包むように構成されているとともに、前記緩衝部材は面板（２５）と共に容易に取り外し可能に構成されていることを特徴とする。
【００１４】
なお、括弧内の記号は後述する発明の実施の形態及び図面に記載された記号に対応する。
【００１５】
請求項１の発明によれば、中框が、予め面板の表裏に脱着可能に貼り付けられることによって一体化されているため、中框、面板共に外枠に嵌め込まれる。
よって、工程が著しく簡略化され、作業が著しく容易になると共に、面板が、がたつき難い。
【００１７】
また、縦枠、上枠、下枠及び中框の互いに接する面同士は通常の接着剤によって強固に接着されるため、木ネジの頭の露出がなく外観上見栄えがよい。
上枠のスリットからの、古い面板の取り出しや新しい面板の挿入が容易となるので、面板の交換が容易である。
【００１８】
請求項２及び請求項３の発明によれば、請求項１の発明の作用効果に加えて、緩衝部材の形状は単純で、弾性変形容易であるため、面板に嵌着容易である。よって、予め緩衝部材を嵌着した後、面板を凹溝に容易に嵌め込むことができる。また、その弾性変形容易な緩衝部材によって面板の表面及び凹溝の内面との隙間が埋められるため面板のがたつきが生じない。
【００１９】
しかも、緩衝部材は面板と共に容易に取り外し可能であるため、面板の交換も極めて容易である。さらに面板の一辺を受け入れる開口は、面板の厚さより幅が狭くかつ面板の一辺の受け入れ時に弾性で拡開するように柔軟性を有しているため、緩衝部材を多種類準備する必要はなく、１種類でも可能である。
【００２０】
【発明の実施の形態】
本発明の第１の実施の形態例について、図面を参照して説明すると、図１はドア構造の組立前の状態を示す斜視図、図２は面板への中框の貼り付けに当っての貼り付け部材の塗布状態を示す斜視図、図３は図１のＡ−Ａ断面図、図４は図１の組み立てられた後の状態を示す斜視図である。
【００２１】
本発明のドア構造は、先ず、１対の縦枠１１，１１、上枠１２及び下枠１３によって矩形状に形成される、例えば木製の外枠１０に設けられた凹溝Ｍ内に、例えばガラス製の面板２５が嵌め込まれたものであって、詳細以下の通り構成される。
【００２２】
すなわち、予め面板２５の表裏に、面板２５を挟み込むように、前後に２分された中框１５，１５が、貼り付け部材によって、後述のように脱着可能に貼り付けられることによって、ユニット化される。なお、この貼り付け部材としては、強力な粘着・接着性を有しながら、時間が経過しても、なお刃物によって切断容易な軟質な層を有するものが好ましく、例えば、プラスチック発泡体やブチルゴム等の不織布ベースの両面テープＢ１，Ｂ１による線状接着と，例えばウレタン樹脂・ゴム糊等の接着剤Ｂ２によるスポット状の接着と，が組み合わされることが、その強度や中框１５，１５からの面板２５の脱着の容易さの点で好ましい。
【００２３】
次いで、ドア構造の組立てに当って、図１に示すように、上述のようにユニット化された面板２５の各辺に向かって、それぞれ縦枠１１，１１、上枠１２及び下枠１３が押し付けられ、対応する凹溝Ｍに面板２５の各辺が嵌め込まれると共に、縦枠１１，１１、上枠１２、下枠１３及び中框１５，１５の互いに接する面同士は通常の接着剤によって強固に接着される。しかも、上枠１２には、予め上下（垂直方向）に貫通し、上記面板２５が通過し、外枠１０へ嵌め込み可能にスリットＳが形成されている。
【００２４】
作用について説明すると、中框１５，１５が、予め面板２５の表裏に貼り付けられることにによって、ユニット化されているため、、中框１５，１５、面板２５共に外枠１０へ容易に嵌め込まれると共に、縦枠１１，１１、上枠１２、下枠１３及び中框１５，１５の互いに接する面同士は通常の接着剤によって接着され、強固に固定されるため、工程が著しく簡略化され、作業が著しく容易になると共に、ずれを生じ難く、面板２５のがたつきが少ない。
【００２５】
しかも、外枠１０・中框１５，１５の互いに接する面同士の固定が接着剤によってなされるため、木ネジの頭の露出やコーキングによる汚損や周囲の汚染もなく、外観がよい。そのうえ、面板２５が破損・汚損され、交換が必要な場合には、貼り付け部材が刃物によって容易に切除され、中框１５と分離されるため、上枠１２のスリットＳからの、古い面板の取り出しや新しい面板の挿入が容易であって、面板２５の交換が容易である。
【００２６】
なお、縦枠１１，１１、上枠１２、下枠１３及び中框１５，１５の互いに接する面同士が接着剤によって接着される代わりに、木ネジ等で接合される場合は、その頭の露出によって外観が悪化することを除けば、その他の作用効果に変化はない。
【００２７】
次に本発明の第２の実施の形態例について図５及び図６により説明すると、第１の実施の形態例の構成に加えて、特に外枠１０の各凹溝Ｍに以下に詳細示す緩衝部材５０が嵌着される。
【００２８】
その緩衝部材５０について詳細説明すると、緩衝部材５０は、面板２５に嵌着可能に、軟質のゴム又はプラスチック製であり、長手方向に縦断する、面板２５の厚さより幅の狭い開口５１を備え、その開口５１が拡開することにより、前記面板２５の一部を前記開口５１から受け入れ、その面板２５の表裏を挟み、包むよう断面略Ｃ字状に形成されたチューブ材である。
【００２９】
そのため、面板２５と共に枠１０の凹溝Ｍへ嵌め込まれると、弾性変形し、凹溝Ｍの内面と弾接する（横断面形状は長手方向に一定）。なお、緩衝部材の別の実施態様としては、断面略コの状で、その開口の幅が基部のそれよりも小さくなったものでもよい（図示省略）。
【００３０】
作用について説明すると、面板２５の各辺が、その辺に上述のように予め嵌着された緩衝部材５０と共に、第１の実施の形態例同様に、外枠１０の凹溝Ｍに嵌め込まれると、緩衝部材５０が弾性変形し、凹溝Ｍの内面及び面板２５の外面と弾接するため、外観を悪化させるコーキングや施工の煩瑣なパッキンによらずとも、面板２５のがたつきが容易に防止される。
【００３１】
また、緩衝部材５０は面板２５と共に外枠１０から容易に取り外し可能であり、且つ面板２５との分離も容易であるため、面板２５の交換も極めて容易である。そのうえ、緩衝部材５０のサイズは、幅が凹溝Ｍの幅に略等しく、且つ開口５１の幅が面板２５の最小板厚より小さければ、面板２５の板厚の変化に応じて開口５１の幅は柔軟に伸縮するため、多数種類準備する必要はなく、１種類でよい。
【００３２】
なお、第１，第２の実施の形態例においては、前後に２分された中框１５を面板２５の表裏に１組設けるようにしたが、複数組設けるようにしてもよい。また、その方向も本実施例のように縦方向に限らず、横方向でもよく、あるいは複数組を格子状に設けるようにしてもよい。
【００３３】
【発明の効果】
以上のとおり請求項１の発明によれば、中框が、予め面板の表裏に脱着可能に貼り付けられることによって一体化されているため、中框、面板共に外枠に嵌め込まれる。よって、工程が著しく簡略化され、作業が著しく容易になると共に、面板が、がたつき難い。
【００３５】
また、縦枠、上枠、下枠及び中框の互いに接する面同士は通常の接着剤によって強固に接着されるため、木ネジの頭の露出がなく外観上見栄えがよい。
上枠のスリットからの、古い面板の取り出しや新しい面板の挿入が容易となるので、面板の交換が容易である。
【００３６】
請求項２及び請求項３の発明によれば、請求項１の発明の作用効果に加えて、緩衝部材の形状は単純で、弾性変形容易であるため、面板に嵌着容易である。よって、予め緩衝部材を嵌着した後、面板を凹溝に容易に嵌め込むことができる。また、その弾性変形容易な緩衝部材によって面板の表面及び凹溝の内面との隙間が埋められるため面板のがたつきが生じない。
【００３７】
しかも、緩衝部材は面板と共に容易に取り外し可能であるため、面板の交換も極めて容易である。さらに面板の一辺を受け入れる開口は、面板の厚さより幅が狭くかつ面板の一辺の受け入れ時に弾性で拡開するように柔軟性を有しているため、緩衝部材を多種類準備する必要はなく、１種類でも可能である。
【図面の簡単な説明】
【図１】本発明の第１の実施の形態例の組立前の状態を示す斜視図である。
【図２】図１の面板への中框の貼り付けに当っての貼り付け部材の塗布状態を示す斜視図である。
【図３】図１のＡ−Ａ断面図である。
【図４】図１の組み立てられた後の状態を示す斜視図である。
【図５】本発明の第２の実施の形態例の要部である、緩衝部材の面板への嵌着状態を示す斜視図である。
【図６】本発明の第２の実施の形態例を示す断面図である。
【図７】従来例のそれぞれ、（ａ）は組み立て前の状態、（ｂ）は組み立て後の状態を示す断面図である。
【図８】２番目の従来例を示す断面図である。
【図９】３番目の従来例を示す断面図である。
【図１０】４番目の従来例のそれぞれ、（ａ）は組み立て前の状態、（ｂ）は組み立て後の状態を示す断面図である。
【図１１】５番目の従来例のそれぞれ、（ａ）は組み立て前の状態、（ｂ）は組み立て後の状態を示す断面図である。
【符号の説明】
１０  外枠
１１  縦枠
１２  上枠
１３  下枠
１５  中框
２０  面板
２５  面板
３１  面縁
３５  面縁
３６  面縁
５０  緩衝部材
５１  開口
２１０  外枠
２１１  縦框
２１３  下框
２１５  中框
３１０  外枠
３１５  中框
４１０  外枠
４１５  中框
５１０  外枠
５１５  中框
Ｂ    貼り付け部材
Ｂ１  両面テープ
Ｂ２  接着剤
Ｃ    コーキング
Ｄ    木ネジ
Ｍ    凹溝
Ｓ    スリット
Ｕ    ユニット
【図１】
0003727867.tif 000002
【図２】
0003727867.tif 000003
【図３】
0003727867.tif 000004
【図４】
0003727867.tif 000005
【図５】
0003727867.tif 000006
【図６】
0003727867.tif 000007
【図７】
0003727867.tif 000008
【図８】
0003727867.tif 000009
【図９】
0003727867.tif 000010
【図１０】
0003727867.tif 000011
【図１１】
0003727867.tif 000012